(57)【特許請求の範囲】
【請求項１】
エレベーターの乗りかご内に設置され、前記乗りかごに対応する制御内容を規定する乗りかご設定情報に基づいて前記乗りかごを制御するかご操作盤と、
各階床に設置され、階床ごとに対応する制御内容を規定する階床別設定情報に基づいて各階床での制御を行う複数の乗場操作盤と
を備え、
前記複数の乗場操作盤のそれぞれは、前記かご操作盤との間で情報の送受信を行う乗場側送受信装置を有し、
前記かご操作盤は、
前記乗りかご内の操作器から前記乗りかご設定情報および前記階床別設定情報を受信する受信装置と、前記複数の乗場操作盤との間で前記情報の送受信を行うかご側送受信装置とを有し、
前記受信装置を介して前記操作器から前記階床別設定情報を受信した場合、前記かご側送受信装置を介して前記階床別設定情報を、前記複数の乗場操作盤のうちの、前記かご操作盤と通信可能な乗場操作盤に送信する
エレベーター装置。
【請求項２】
前記かご操作盤は、
前記かご側送受信装置を介して前記乗りかご設定情報を前記複数の乗場操作盤のうちの保存先乗場操作盤に送信することで、前記乗りかご設定情報を前記保存先乗場操作盤で保存し、
前記乗りかご設定情報が保存されているメモリを備えたかご制御基板を交換する場合には、前記かご側送受信装置を介して前記保存先乗場操作盤から前記乗りかご設定情報を受信し、受信した前記乗りかご設定情報を交換後のかご制御基板のメモリに保存する
請求項１に記載のエレベーター装置。
【請求項３】
前記かご操作盤は、
前記受信装置を介して前記操作器から前記階床別設定情報を受信した場合、前記階床別設定情報と各階床とを対応付けた設定情報テーブルを生成し、生成した前記設定情報テーブルを前記乗りかご設定情報が保存されているメモリに保存し、
前記複数の乗場操作盤のいずれかにおいて、前記階床別設定情報が保存されているメモリを備えた乗場制御基板を交換する場合、交換後の乗場制御基板を備えた乗場操作盤に対応する階床別設定情報を前記設定情報テーブルから抽出し、抽出した前記階床別設定情報を前記かご側送受信装置を介して、交換後の乗場制御基板を備えた乗場操作盤に送信する
請求項１または２に記載のエレベーター装置。
【請求項４】
前記かご操作盤は、
前記設定情報テーブルを生成する際に、エレベーターを統括制御するエレベーター制御装置から、前記乗りかごの現在位置に対応する階床情報を受信し、受信した前記階床情報を前記各階床として、前記階床別設定情報と関連付ける
請求項３に記載のエレベーター装置。
【請求項５】
前記乗りかご内に設けられ、前記乗りかごの現在位置に対応する階床を報知するとともに、前記かご側送受信装置と前記乗場側送受信装置とが通信可能な状態であることを報知する報知器をさらに備え、
前記かご操作盤は、
前記乗りかごの前記現在位置において前記通信可能な状態でない場合には、前記乗りかごの移動指令を、前記操作器から前記受信装置を介して受信し、受信した前記移動指令に基づいて前記通信可能な状態となるように前記乗りかごを移動させる乗場捜索モードを実行し、
前記乗場捜索モードの実行中において、前記通信可能な状態に前記乗りかごが移動した場合には、前記報知器を介して前記通信可能な状態であることを報知する
請求項１から４のいずれか１項に記載のエレベーター装置。
【発明の詳細な説明】
【技術分野】
【０００１】
本発明は、かご操作盤と複数の乗場操作盤とを備えたエレベーター装置に関する。
【背景技術】
【０００２】
一般的なエレベーターにおいて、乗場の各階床に設置されている乗場操作盤には、階床ごとに対応する制御内容を規定する階床別設定情報が、各乗場制御基板のメモリに記憶されている。各乗場制御基板のメモリに記憶される階床別設定情報としては、階床でのアナウンスボリューム設定、各種機能の有効無効設定等が挙げられる。【０００３】
同様に、エレベーターのかご内に設置されているかご操作盤には、かごに対応する制御内容を規定する乗りかご設定情報が、かご制御基板のメモリに記憶されている。かご制御基板のメモリに記憶される乗りかご設定情報としては、かご停止を禁止させる階床設定、かご内のアナウンスボリューム設定、各種機能の有効無効設定等が挙げられる。【０００４】
乗場制御基板およびかご制御基板の各メモリに記憶させる設定情報を容易に設定できるようにするために、専用のリモコンを用いる従来技術がある（例えば、特許文献１参照）。特許文献１では、リモコンを用いることで、エレベーター運転手、ビルの管理者、エレベーター保守員等の操作者による操作性の向上が図られている。
【先行技術文献】
【特許文献】
【０００５】
【特許文献１】特開平５−３１９７１０号公報
【発明の概要】
【発明が解決しようとする課題】
【０００６】
しかしながら、従来技術には、以下のような課題がある。
特許文献１では、かご側での操作性を改善するために、乗かご内操作盤にリモコン受信装置が設けられ、各乗場側での操作性を改善するために、エレベーター乗場側の操作盤にもリモコン受信装置が設けられている。【０００７】
そして、リモコン送信装置を用いて、それぞれのリモコン受信装置に個別にデータ送信することで、かご内およびそれぞれの乗場における操作性を向上させている。すなわち、操作者は、かご内、およびすべての階床のそれぞれにおいて、個別の設定作業を行う際に、リモコン送信装置を用いることで、作業性の向上を図っている。【０００８】
しかしながら、特許文献１では、たとえリモコンを用いたとしても、各階床の乗場制御基板のメモリに個別の階床別設定情報を記憶させるためには、操作者がそれぞれの乗場において個別の設定作業を行う必要がある。このため、乗場制御基板のメモリに個別の階床別設定情報を記憶させる際の作業は、リモコンを用いたとしても、依然として煩雑である。そこで、乗場操作盤に記憶させる階床別設定情報を、より容易に設定できる作業性の向上が望まれている。【０００９】
本発明は、前記のような課題を解決するためになされたものであり、乗場操作盤に階床別設定情報を記憶させる際の作業性をより向上させることのできるエレベーター装置を得ることを目的とする。
【課題を解決するための手段】
【００１０】
本発明に係るエレベーター装置は、エレベーターの乗りかご内に設置され、乗りかごに対応する制御内容を規定する乗りかご設定情報に基づいて乗りかごを制御するかご操作盤と、各階床に設置され、階床ごとに対応する制御内容を規定する階床別設定情報に基づいて各階床での制御を行う複数の乗場操作盤とを備え、複数の乗場操作盤のそれぞれは、かご操作盤との間で情報の送受信を行う乗場側送受信装置を有し、かご操作盤は、乗りかご内の操作器から乗りかご設定情報および階床別設定情報を受信する受信装置と、複数の乗場操作盤との間で情報の送受信を行うかご側送受信装置とを有し、受信装置を介して操作器から階床別設定情報を受信した場合、かご側送受信装置を介して階床別設定情報を、複数の乗場操作盤のうちの、かご操作盤と通信可能な乗場操作盤に送信するものである。
【発明の効果】
【００１１】
本発明によれば、乗場操作盤に設定情報を記憶させる際の作業性をより向上させることのできるエレベーター装置を得ることができる。
【図面の簡単な説明】
【００１２】
【図１】本発明の実施の形態１に係るエレベーター装置の全体構成図である。
【図２】本発明の実施の形態２に係るエレベーター装置の機能構成を示したブロック図である。
【図３】本発明の実施の形態１、２に係るエレベーター装置の各機能を専用のハードウェアである処理回路で実現する場合を示した構成図である。
【図４】本発明の実施の形態１、２に係るエレベーター装置の各機能をプロセッサおよびメモリを備えた処理回路により実現する場合を示した構成図である。
【発明を実施するための形態】
【００１３】
以下、本発明のエレベーター装置の好適な実施の形態につき図面を用いて説明する。
【００１４】
実施の形態１．
図１は、本発明の実施の形態１に係るエレベーター装置の全体構成図である。図１に示した全体構成図では、かご操作盤１０が設置されている乗りかご１と、乗場操作盤２０と、エレベーター制御装置１００との３箇所に大別して各構成が記載されている。なお、乗場操作盤２０は、各階床に設けられているが、図１では、代表して１つの階床の乗場操作盤２０を示している。
【００１５】
最初に、エレベーター制御装置１００側、および乗りかご１側の構成について説明する。乗りかご１には、インジケーター２、およびかご操作盤１０が設けられている。かご操作盤１０には、ＣＰＵ１２、メモリ１３、および受信装置１４を含むかご制御基板１１と、かご側送受信装置１５とが設けられている。なお、かご操作盤１０の構成要素の一部であるかご側送受信装置１５は、図１では、乗りかご１の外側に設置されている状態を示している。ただし、後述する乗場側送受信装置２４との間で送受信が可能であれば、設置位置はこれに限定されない。
【００１６】
インジケーター２は、乗りかご１の移動方向および乗りかご１の現在位置に対応する階床を報知する報知器として機能する。
【００１７】
かご側送受信装置１５は、乗場操作盤２０への信号の送信、および乗場操作盤２０からの信号の受信を行うための送受信器として機能する。
【００１８】
かご制御基板１１に設けられたＣＰＵ１２は、乗りかごに対応する制御内容を規定する乗りかご設定情報に基づいて乗りかご１の制御を行うコントローラであり、具体的には、以下の機能を備えている。ＣＰＵ１２は、エレベーター制御装置１００内のＣＰＵ１０１との間で信号を送受信する。また、ＣＰＵ１２は、操作者が保持する操作器４０からの送信信号を、受信装置１４を介して受信する。操作器４０としては、専用のリモコン、専用のソフトウェアがインストールされた携帯端末等を利用することが可能である。
【００１９】
また、ＣＰＵ１２は、かご側送受信装置１５を介して、乗場操作盤２０との間で信号を送受信する。また、ＣＰＵ１２は、メモリ１３への乗りかご設定情報の書き込み、およびメモリ１３からの乗りかご設定情報の読み出しを行う。さらに、ＣＰＵ１２は、読み出した乗りかご設定情報に基づいて乗りかご１を制御する。また、ＣＰＵ１２は、インジケーター２を介して必要な情報を報知する。
【００２０】
次に乗場側の構成について説明する。各階床の乗場に対応して個別に設置される乗場操作盤２０には、乗場制御基板２１が設けられている。乗場制御基板２１上には、ＣＰＵ２２、メモリ２３、および乗場側送受信装置２４が設けられている。
【００２１】
乗場制御基板２１に設けられたＣＰＵ２２は、階床ごとに対応する制御内容を規定する階床別設定情報に基づいて各乗場での制御を行うコントローラであり、具体的には、以下の機能を備えている。ＣＰＵ２２は、乗場側送受信装置２４を介して、乗りかご側に設けられたかご側送受信装置１５との間で信号を送受信する。また、ＣＰＵ２２は、メモリ２３への階床別設定情報の書き込み、およびメモリ２３からの階床別設定情報の読み出しを行う。さらに、ＣＰＵ２２は、読み出した階床別設定情報に基づいて、各乗場での制御を行う。また、ＣＰＵ２２は、各階床の乗場に設置されているホールランタン３０の表示制御を行い、必要な情報を報知する。
【００２２】
このような構成を有する実施の形態１に係るエレベーター装置は、操作者が乗りかご１内において操作器４０を操作することで、かご制御基板１１のメモリ１３に乗りかご設定情報を記憶させることができる。また、実施の形態１に係るエレベーター装置は、操作者が乗りかご１内において操作器４０を操作することで、各階床の乗場制御基板２１のメモリ２３にも個別の階床別設定情報を記憶させることができる。そこで、以下に、この具体的な手順について、詳細に説明する。なお、操作器４０と受信装置１４との間の通信、およびかご側送受信装置１５と乗場側送受信装置２４との間の通信としては、電波を用いた無線通信、赤外線を用いた赤外線通信等を適用することができる。
【００２３】
＜ケース１＞乗りかご１内において操作器４０を用いて、かご制御基板１１のメモリ１３に乗りかご設定情報を記憶させる手順
まず始めに、操作者は、乗りかご１内において、かご制御基板１１のメモリ１３に記憶させるべき乗りかご設定情報を、操作器４０を用いて設定する。その後、操作者は、設定した乗りかご設定情報を操作器４０から受信装置１４に送信する。
【００２４】
ＣＰＵ１２は、受信装置１４を介して受信した乗りかご設定情報をメモリ１３に記憶させる。このような一連処理により、操作者は、乗りかご１内において操作器４０を用いて、かご制御基板１１のメモリ１３に乗りかご設定情報を容易に設定することができる。なお、この一連処理は、乗りかご１がどの位置にあっても、実行することが可能である。
【００２５】
＜ケース２＞乗りかご１内において操作器４０を用いて、乗場制御基板２１のメモリ２３に階床別設定情報を記憶させる手順
ケース２の処理を実行するためには、操作器４０で設定された階床別設定情報を、かご側送受信装置１５から、目的の階床の乗場側送受信装置２４に送信することが必要である。この場合、かご側送受信装置１５と乗場側送受信装置２４とが通信可能な距離および範囲には、制限がある。従って、目的の階床の乗場側送受信装置２４が設置されている場所まで、乗りかご１を移動させる必要がある。
【００２６】
しかしながら、乗りかご１内にいる操作者は、対象となる階床の乗場側送受信装置２４の位置を乗りかご１内から視認することは困難である。そこで、実施の形態１では、ケース２の処理を実行するに当たり、まず、対象となる階床の乗場側送受信装置２４とかご側送受信装置１５とが通信可能な状態となるように、乗りかご１を移動させる乗場捜索モードを実行する。
【００２７】
まず始めに、乗りかご１内の操作者は、操作器４０を用いて、乗場捜索モードを設定する。さらに、操作者は、乗場捜索モードの実行中において、インジケーター２に表示されている階床情報を見ながら、操作器４０に設けられている上昇ボタンおよび下降ボタンのいずれかを操作する。これにより、目的の乗場制御基板２１が設置されている方向に乗りかご１移動させることができる。
【００２８】
すなわち、ＣＰＵ１２は、受信装置１４を介して乗場捜索モードが設定されたことを受信した場合には、上昇ボタンまたは下降ボタンが押されたことによる移動指令を、エレベーターを統括制御するエレベーター制御装置１００内のＣＰＵ１０１に送信する。これにより、ＣＰＵ１２は、乗りかご１を移動させることができる。さらに、ＣＰＵ１２は、乗りかご１が移動中において、かご側送受信装置１５を介して、乗場捜索モード中に乗りかご１が移動していることを示す乗場捜索モード信号を送信する。
【００２９】
一方、各階に設けられた乗場制御基板２１のＣＰＵ２２のうち、乗場側送受信装置２４を介して乗場捜索モード信号を受信できたＣＰＵ２２は、受信できたことを知らせる捜索完了信号を、乗場側送受信装置２４を介してかご側送受信装置１５に返送する。
【００３０】
ＣＰＵ１２は、捜索完了信号を受信した場合には、かご側送受信装置１５と乗場側送受信装置２４とが通信可能な状態に乗りかご１を移動できたことを、インジケーター２を介して操作者に報知する。操作者は、このような報知結果に基づいて、乗りかご１の移動操作を停止する。
【００３１】
このような手順を実行することにより、操作者は、乗場捜索モードにおいて、インジケーター２を確認しながら、乗りかご１内において操作器４０を操作することで、目的の乗場操作盤２０の位置まで乗りかご１を容易に移動させることができる。その後、操作者は、次のようにして、乗りかご１内において操作器４０を用いて、乗場制御基板２１のメモリ２３に階床別設定情報を記憶させる。
【００３２】
まず始めに、操作者は、乗りかご１内において、目的の乗場制御基板２１のメモリ２３に記憶させるべき階床別設定情報を、操作器４０を用いて設定する。その後、操作者は、設定した階床別設定情報を操作器４０から受信装置１４に送信する。
【００３３】
ＣＰＵ１２は、受信装置１４を介して受信した階床別設定情報を、かご側送受信装置１５を介して送信する。一方、目的の乗場制御基板２１のＣＰＵ２２は、乗場側送受信装置２４を介して、操作器４０により設定された階床別設定情報を受信する。そして、ＣＰＵ２２は、受信した階床別設定情報をメモリ２３に記憶させる。
【００３４】
そして、このような一連処理をすべての乗場制御基板２１について繰り返し実行することにより、操作者は、乗りかご１内において操作器４０を用いることにより、それぞれの乗場制御基板２１のメモリ２３に階床別設定情報を容易に設定することができる。
【００３５】
以上のように、実施の形態１によれば、各階床に設けられたそれぞれの乗場制御基板と、乗りかごに設けられたかご制御基板との間で、データ通信を行うことができる構成を備えている。また、乗りかごの現在位置は、エレベーター制御装置から階床情報として送信されており、インジケーターに表示できる構成を備えている。これらの構成を備えることで、操作者は、乗りかご内において操作器を操作することで、乗りかごを目的の位置まで移動させ、それぞれの乗場制御基板のメモリに容易に階床別設定情報を記憶させることができる。この結果、作業性をより向上させ、作業時間の短縮化を図ることのできるエレベーター装置を実現できる。
【００３６】
また、乗場操作盤は、インジケーターを有していない場合があり、この場合には操作器を用いてかごを移動させた場合の階床情報を、アンサーバック表示できない。このため、操作器によるかごの移動結果を確認することができない。これに対して、本実施の形態１では、操作器による操作を乗りかご内で実施できるとともに、乗りかご内に標準装備されたインジケーターを利用することで、アンサーバック表示を容易に行うことができる。この結果、作業性をより向上させ、作業時間の短縮化を図ることのできるエレベーター装置を実現できる。
【００３７】
なお、実施の形態１では、報知器としてインジケーターを用い、インジケーターによりフィードバック表示を行う構成について説明した。しかしながら、インジケーターの代わりに音声出力を行うスピーカーを報知器として用い、アンサーバック表示の代わりに、音声出力によるフィードバックを行うことによっても、同様の効果を得ることができる。
【００３８】
実施の形態２．
先の実施の形態１では、各階床の乗場制御基板のメモリに、階床別設定情報を初期設定する際の操作性を向上できる構成について説明した。本実施の形態２では、この実施の形態１の構成を活用し、かご制御基板および複数の乗場制御基板のいずれかの制御基板を交換する際に、交換後の制御基板に、以前に設定されていた設定情報を容易に再設定して復旧作業の向上を図る手順について説明する。
【００３９】
先の実施の形態１における図１の構成によれば、乗りかご制御基板１１のＣＰＵ１２と、それぞれの乗場制御基板２１のＣＰＵ２２のそれぞれとは、データを送受信できる通信機能を有している。さらに、乗りかご制御基板１１は、自身の乗りかご設定情報を記憶するためのメモリ１３を有しており、それぞれの乗場制御基板２１も、自身の階床別設定情報を記憶するためのメモリ２３を有している。
【００４０】
従って、それぞれの乗場制御基板２１のメモリ２３に記憶された階床別設定情報を、乗りかご制御基板１１のメモリ１３に記憶させ、バックアップデータをとっておくことができる。このようなバックアップ機能を実行することで、交換が必要になった乗場制御基板２１に対する階床別設定情報を容易に再設定することができる。すなわち、ＣＰＵ１２は、交換前の乗場制御基板２１に対応して、メモリ１３に記憶されている階床別設定情報を、交換後の乗場制御基板２１のメモリ２３に、通信機能を利用して送信することで容易に再設定することができる。
【００４１】
また、かご制御基板１１のメモリ１３に記憶された乗りかご設定情報を、保存先乗場操作盤における乗場制御基板２１のメモリ２３に記憶させ、バックアップデータをとっておくこともできる。このようなバックアップ機能を実行することで、交換が必要になったかご制御基板１１に対する乗りかご設定情報を容易に再設定することができる。すなわち、ＣＰＵ２２は、交換前のかご制御基板１１に対応して、保存先乗場操作盤における乗場制御基板２１のメモリ２３に記憶されている乗りかご設定情報を、交換後のかご制御基板１１のメモリ１３に、通信機能を利用して送信することで容易に再設定することができる。
【００４２】
そこで、このような設定情報のバックアップ機能、および再設定機能について、図２を用いて詳細に説明する。図２は、本発明の実施の形態２に係るエレベーター装置の機能構成を示したブロック図である。図２では、先の図１におけるＣＰＵ１０１およびＣＰＵ１２に関して、機能構成を示すとともに、メモリ１３およびメモリ２３に記憶されるデータ内容を示している。
【００４３】
また、図２では、各階床に設けられた乗場操作盤２０の具体例として、Ａ階の乗場操作盤２０（Ａ）、Ｂ階の乗場操作盤２０（Ｂ）、Ｃ階の乗場操作盤２０（Ｃ）の３階床分を例示している、さらに、図２では、Ａ階の乗場操作盤２０（Ａ）に設けられた乗場制御基板２１を交換する際に、メモリ２３（Ａ）に階床別設定情報を再設定する場合を例示している。
【００４４】
図２におけるＣＰＵ１０１は、乗りかご１の階床情報を管理する階床管理部１０１ａ、および階床情報をＣＰＵ１２に送信する通信制御部１０１ｂの各機能ブロックを備えている。
【００４５】
また、ＣＰＵ１２は、かご通信制御部１２ａ、かご位置判定部１２ｂ、マージ部１２ｃ、抽出部１２ｄ、および転送部１２ｅの各機能ブロックを備えている。かご通信制御部１２ａは、ＣＰＵ１０１から階床情報を受信する。かご位置判定部１２ｂは、階床情報に基づいて乗りかごの位置を判定する。
【００４６】
マージ部１２ｃは、かご位置判定部１２ｂにより判定された乗りかご１の位置と、操作器４０から送信された階床別設定情報とをマージして、各乗場の階床と階床別設定情報とを関連付けた設定情報テーブルを生成し、メモリ１３に保存する。抽出部１２ｄは、再設定が必要となった階床の階床別設定情報を、メモリ１３に保存された設定情報テーブルの中から抽出する。転送部１２ｅは、抽出部１２ｄによって抽出された階床別設定情報を、かご側送受信装置１５を介して転送する。
【００４７】
このような構成において、Ａ階の階床別設定情報を、メモリ１３内の設定情報テーブル内に記憶させる手順について、まず始めに説明する。先の実施の形態１において説明した乗場捜索モードによる処理に従って、操作者は、操作器４０を用いて乗りかご１をＡ階まで移動させる。このとき、かご通信制御部１２ａは、通信制御部１０１ｂから乗りかご１の階床情報を受信する。
【００４８】
かご位置判定部１２ｂは、かご通信制御部１２ａを介して受信した階床情報に基づいて乗りかご１の位置が「Ａ階」であると判定する。マージ部１２ｃは、かご位置判定部１２ｂにより判定された乗りかご１の位置を示す「Ａ階」と、操作器４０から送信されたＡ階の階床別設定情報とをマージして、Ａ階に対応付けられた階床別設定情報を、「Ａ階設定情報」として、設定情報テーブルを更新し、更新後の設定情報テーブルをメモリ１３に保存する。
【００４９】
このような処理が、Ｂ階、Ｃ階についても実行されることで、「Ａ階設定情報」、「Ｂ階設定情報」、および「Ｃ階設定情報」を備えた設定情報テーブルが、メモリ１３内に保存される。すなわち、ＣＰＵ１２は、先の実施の形態１で説明した階床別設定情報を各乗場制御基板２１に設定する際に、設定情報テーブルを作成することで、設定情報のバックアップ機能を実行することができる。
【００５０】
さらに、上述したバックアップ機能を実行することで、操作者は、操作器４０を用いて乗りかご１が停止している階床情報を指定する必要なしに、設定情報テーブルを作成することができる。従って、階床情報の設定ミスをなくすことができるとともに、操作の簡素化を実現できる。
【００５１】
次に、Ａ階に設置された乗場制御基板２１（Ａ）を交換する際に、作成された設定情報テーブルを用いて、交換後の乗場制御基板２１（Ａ）のメモリ２３（Ａ）に階床別設定情報を再設定する手順について説明する。
【００５２】
先の実施の形態１において説明した乗場捜索モードによる処理に従って、操作者は、操作器４０を用いて乗りかご１をＡ階まで移動させる。このとき、かご通信制御部１２ａは、通信制御部１０１ｂから乗りかご１の階床情報を受信する。かご位置判定部１２ｂは、かご通信制御部１２ａを介して受信した階床情報に基づいて乗りかご１の位置が「Ａ階」であると判定する。
【００５３】
一方、操作者は、操作器４０を用いて、Ａ階の乗場制御基板２１（Ａ）に階床別設定情報の再設定を行うことを示す再設定コマンドを入力する。ＣＰＵ１２内の抽出部１２ｄは、再設定コマンドを受信した場合には、メモリ１３内の設定情報テーブルの中から「Ａ階設定情報」を抽出する。
【００５４】
そして、転送部１２ｅは、抽出部１２ｄにより抽出された「Ａ階設定情報」を、かご側送受信装置１５を介して転送する。この結果、乗場制御基板２１（Ａ)内のＣＰＵ２２（Ａ）は、メモリ２３（Ａ）に、「Ａ階設定情報」で規定される階床別設定情報を記憶させることができる。従って、ＣＰＵ１２は、交換後の乗場制御基板２１（Ａ）に、交換前の乗場制御基板２１（Ａ）に設定されていた階床別設定情報を再設定でき、復旧作業の容易化を実現できる。
【００５５】
さらに、上述した再設定機能を実行することで、操作者は、操作器４０を用いて乗りかご１が停止している階床情報を指定する必要なしに、階床別設定情報の再設定を実行することができる。従って、階床情報の設定ミスをなくすことができるとともに、操作の簡素化を実現できる。
【００５６】
以上のように、実施の形態２によれば、各階床に設けられたそれぞれの乗場制御基板と、乗りかごに設けられたかご制御基板との間で、データ通信を行うことができる通信機能を備えている。また、すべての乗場制御基板に対する階床別設定情報を、かご制御基板内のメモリに設定情報テーブルとして保存させておくバックアップ機能を備えている。このような機能を備えることで、乗場制御基板を交換した際にも、交換前の階床別設定情報を容易に再設定でき、復旧作業を容易に実行することができる。この結果、作業性をより向上させることのできるエレベーター装置を実現できる。
【００５７】
また、かご制御基板に対する乗りかご設定情報を、少なくともいずれかの乗場制御基板内のメモリに設定情報テーブルとして保存させておくバックアップ機能を備えている。このような機能を備えることで、かご制御基板を交換した際にも、交換前の乗りかご設定情報を容易に再設定でき、復旧作業を容易に実行することができる。この結果、作業性をより向上させることのできるエレベーター装置を実現できる。
【００５８】
なお、上述した実施の形態１、２に係るエレベーター装置に含まれるかご操作盤１０、乗場操作盤２０、およびエレベーター制御装置１００のそれぞれにおける各機能は、処理回路によって実現される。各機能を実現する処理回路は、専用のハードウェアであってもよく、メモリに格納されるプログラムを実行するプロセッサであってもよい。図３は、本発明の実施の形態１、２に係るエレベーター装置の各機能を専用のハードウェアである処理回路１０００で実現する場合を示した構成図である。また、図４は、本発明の実施の形態１、２に係るエレベーター装置の各機能をプロセッサ２００１およびメモリ２００２を備えた処理回路２０００により実現する場合を示した構成図である。
【００５９】
処理回路が専用のハードウェアである場合、処理回路１０００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。各部の機能それぞれを個別の処理回路１０００で実現してもよいし、各部の機能をまとめて処理回路１０００で実現してもよい。
【００６０】
一方、処理回路がプロセッサ２００１の場合、各部の機能は、ソフトウェア、ファームウェア、またはソフトウェアとファームウェアとの組み合わせにより実現される。ソフトウェアおよびファームウェアは、プログラムとして記述され、メモリ２００２に格納される。プロセッサ２００１は、メモリ２００２に記憶されたプログラムを読み出して実行することにより、各部の機能を実現する。すなわち、エレベーター装置は、処理回路２０００により実行されるときに、かご操作盤１０、乗場操作盤２０、およびエレベーター制御装置１００の各部の機能が結果的に実行されることになるプログラムを格納するためのメモリ２００２を備える。
【００６１】
これらのプログラムは、上述した各部の手順あるいは方法をコンピュータに実行させるものであるともいえる。ここで、メモリ２００２とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の、不揮発性または揮発性の半導体メモリが該当する。また、磁気ディスク、フレキシブルディスク、光ディスク、コンパクトディスク、ミニディスク、ＤＶＤ等も、メモリ２００２に該当する。
【００６２】
なお、上述した各部の機能について、一部を専用のハードウェアで実現し、一部をソフトウェアまたはファームウェアで実現するようにしてもよい。
【００６３】
このように、処理回路は、ハードウェア、ソフトウェア、ファームウェア、またはこれらの組み合わせによって、上述した各部の機能を実現することができる。
【符号の説明】
【００６４】
１  乗りかご、２  インジケーター（報知器）、１０  かご操作盤、１１  かご制御基板、１２  ＣＰＵ、１２ａ  かご通信制御部、１２ｂ  かご位置判定部、１２ｃ  マージ部、１２ｄ  抽出部、１２ｅ  転送部、１３  メモリ、１４  受信装置、１５  かご側送受信装置、２０  乗場操作盤、２１  乗場制御基板、２２  ＣＰＵ、２３  メモリ、２４  乗場側送受信装置、３０  ホールランタン、４０  操作器、１００  エレベーター制御装置、１０１ａ  階床管理部、１０１ｂ  通信制御部。
【図１】
0006964782.tif 000002
【図２】
0006964782.tif 000003
【図３】
0006964782.tif 000004
【図４】
0006964782.tif 000005